(57)【要約】      （修正有）【課題】長時間の使用が可能であり、屋内でも対象の位置を精度良く検出できる探索システムを提供する。【解決手段】探索システムは、発信機から識別情報を含む信号を受信する受信部、識別情報を送信する通信部、及び表示部を有する複数の表示装置と、表示装置から識別情報を受信する識別情報受信部、及び第１ユーザ端末５から探索依頼を受信する探索依頼受信部を有するサーバ装置１と、を備える。サーバ装置は、表示装置から受信した識別情報が探索依頼に対応するものである場合、探索対象情報を識別情報の送信元の表示装置へ送信する探索対象情報送信部を有する。表示装置は、サーバ装置から受信した探索対象情報を表示部に表示する。【選択図】図１
2020027422.tif 000002
【特許請求の範囲】
【請求項１】
発信機から識別情報を含む信号を受信する受信部、前記識別情報を送信する通信部、及び表示部を有する複数の表示装置と、
前記表示装置から前記識別情報を受信する識別情報受信部、及び第１ユーザ端末から探索依頼を受信する探索依頼受信部を有するサーバ装置と、
を備え、
前記サーバ装置は、前記表示装置から受信した識別情報が前記探索依頼に対応するものである場合、探索対象情報を前記識別情報の送信元の表示装置へ送信する探索対象情報送信部を有し、
前記表示装置は、前記サーバ装置から受信した前記探索対象情報を前記表示部に表示することを特徴とする探索システム。
【請求項２】
前記探索対象情報送信部は、前記探索依頼に対応する撮影画像をアップロードするためのウェブサイトのＵＲＬを生成し、このＵＲＬを示す二次元コードを前記探索対象情報と共に前記表示装置へ送信し、
前記サーバ装置は、前記表示部に表示された前記二次元コードを読み取ってアクセスしてきた第２ユーザ端末から撮影画像を受信する画像受信部と、前記撮影画像を前記第１ユーザ端末へ送信する画像送信部とをさらに有することを特徴とする請求項１に記載の探索システム。
【請求項３】
前記サーバ装置は、撮影画像を送信してきた前記第２ユーザ端末に対しクーポン情報を送信するクーポン処理部をさらに有することを特徴とする請求項２に記載の探索システム。
【請求項４】
前記サーバ装置は、前記第１ユーザ端末から前記撮影画像の評価結果を受信する評価結果受信部をさらに有し、
前記クーポン処理部は、前記評価結果に基づいて前記クーポン情報を有効化することを特徴とする請求項３に記載の探索システム。
【請求項５】
前記サーバ装置は、前記表示装置から受信した識別情報が前記探索依頼に対応するものである場合に、前記第１ユーザ端末へ、探索対象が検知されたことを通知する検知情報送信部をさらに有することを特徴とする請求項１乃至４のいずれか１項に記載の探索システム。
【請求項６】
前記検知情報送信部は、前記画像送信部による撮影画像の送信前に、探索対象が検知されたことを前記第１ユーザ端末に通知することを特徴とする請求項５に記載の探索システム。
【請求項７】
前記サーバ装置は、前記複数の表示装置の設置場所を示す表示装置情報を格納した記憶部をさらに備え、
前記検知情報送信部は、前記表示装置情報を参照し、前記識別情報の送信元の表示装置の設置場所情報を前記第１ユーザ端末へ送信することを特徴とする請求項５又は６に記載の探索システム。
【請求項８】
前記表示装置は、筐体の周囲から画面を見ることができる前記表示部を有する証明写真撮影装置、サイネージ機器又は自動販売機であることを特徴とする請求項１乃至７のいずれか１項に記載の探索システム。
【発明の詳細な説明】
【技術分野】
【０００１】
本発明は、探索システムに関し、例えば、行方がわからなくなった人物やペットを探索する探索システムに関する。
【背景技術】
【０００２】
子供やペットの見守りシステムとして、見守り対象にＧＰＳ端末を所持させ（取り付け）、見守り対象の位置を検索・特定するものが知られている。
【０００３】
しかし、ＧＰＳ端末は電池の消耗が大きく、長時間の連続使用は困難であり、頻繁に電池交換や充電をする必要があった。また、屋内や地下空間ではＧＰＳ衛星からの電波を受信し難く、位置測定が困難であった。
【先行技術文献】
【特許文献】
【０００４】
【特許文献１】特開２０１４−５２８８２号公報
【発明の概要】
【発明が解決しようとする課題】
【０００５】
本発明は、長時間の使用が可能であり、屋内でも対象の位置を精度良く検出できる探索システムを提供することを課題とする。
【課題を解決するための手段】
【０００６】
本発明による探索システムは、発信機から識別情報を含む信号を受信する受信部、前記識別情報を送信する通信部、及び表示部を有する複数の表示装置と、前記表示装置から前記識別情報を受信する識別情報受信部、及び第１ユーザ端末から探索依頼を受信する探索依頼受信部を有するサーバ装置と、を備え、前記サーバ装置は、前記表示装置から受信した識別情報が前記探索依頼に対応するものである場合、探索対象情報を前記識別情報の送信元の表示装置へ送信する探索対象情報送信部を有し、前記表示装置は、前記サーバ装置から受信した前記探索対象情報を前記表示部に表示するものである。
【０００７】
本発明の一態様による探索システムにおいて、前記探索対象情報送信部は、前記探索依頼に対応する撮影画像をアップロードするためのウェブサイトのＵＲＬを生成し、このＵＲＬを示す二次元コードを前記探索対象情報と共に前記表示装置へ送信し、前記サーバ装置は、前記表示部に表示された前記二次元コードを読み取ってアクセスしてきた第２ユーザ端末から撮影画像を受信する画像受信部と、前記撮影画像を前記第１ユーザ端末へ送信する画像送信部とをさらに有する。
【０００８】
本発明の一態様による探索システムにおいて、前記サーバ装置は、撮影画像を送信してきた前記第２ユーザ端末に対しクーポン情報を送信するクーポン処理部をさらに有する。
【０００９】
本発明の一態様による探索システムにおいて、前記サーバ装置は、前記第１ユーザ端末から前記撮影画像の評価結果を受信する評価結果受信部をさらに有し、前記クーポン処理部は、前記評価結果に基づいて前記クーポン情報を有効化する。
【００１０】
本発明の一態様による探索システムにおいて、前記サーバ装置は、前記表示装置から受信した識別情報が前記探索依頼に対応するものである場合に、前記第１ユーザ端末へ、探索対象が検知されたことを通知する検知情報送信部をさらに有する。
【００１１】
本発明の一態様による探索システムにおいて、前記検知情報送信部は、前記画像送信部による撮影画像の送信前に、探索対象が検知されたことを前記第１ユーザ端末に通知する。
【００１２】
本発明の一態様による探索システムにおいて、前記サーバ装置は、前記複数の表示装置の設置場所を示す表示装置情報を格納した記憶部をさらに備え、前記検知情報送信部は、前記表示装置情報を参照し、前記識別情報の送信元の表示装置の設置場所情報を前記第１ユーザ端末へ送信する。
【００１３】
本発明の一態様による探索システムにおいて、前記表示装置は、筐体の周囲から画面を見ることができる前記表示部を有する証明写真撮影装置、サイネージ機器又は自動販売機である。
【発明の効果】
【００１４】
本発明によれば、長時間の使用が可能であり、屋内でも対象の位置を精度良く検出できる。
【図面の簡単な説明】
【００１５】
【図１】本発明の実施形態に係る探索システムの概略図である。
【図２】発信機の取り付け例を示す図である。
【図３】（ａ）〜（ｃ）は表示装置の例を示す図である。
【図４】探索対象情報の例を示す図である。
【図５】発見者端末の表示画面の例を示す図である。
【図６】探索対象を撮影する様子を示す図である。
【図７】（ａ）はクーポン画面の例を示す図であり、（ｂ）は契約者端末の表示画面の例を示す図である。
【図８】表示装置のブロック構成図である。
【図９】サーバ装置の機能ブロック図である。
【図１０】同実施形態に係る探索方法を説明するフローである。
【発明を実施するための形態】
【００１６】
図１は本発明の実施形態に係る探索システムの概略図である。図１に示すように、探索システムは、サーバ装置１、複数の表示装置２、電波を発信する発信機３、及び考査端末４を備え、行方がわからなくなった人物やペット、自転車等の対象の位置を探索する探索サービスを提供するものである。
【００１７】
発信機３は、探索対象と共に移動する。例えば、図２に示すように、ペットの首輪Ｃに発信機３が取り付けられる。あるいはまた、発信機３を取り付けたベルトを探索対象の腕や脚に巻き付けたり、発信機３付きのシールを自転車のフレームに貼り付けたりしてもよい。以下、探索対象がペットである場合について説明する。
【００１８】
表示装置２は、図３（ａ）〜（ｃ）に示すような証明写真撮影装置２Ａ、サイネージ機器２Ｂ、飲料等の自動販売機２Ｃなどの形態をとり、筐体の周囲から画面が視認可能な表示部２２、及び発信機３からの信号を受信する受信部２１（図８参照）、サーバ装置１との通信機能等を有する。表示装置２は、街中、建物内、地下通路など、様々な場所に固定して設置されている。
【００１９】
発信機３には、固有の識別情報が割り当てられている。発信機３は、識別情報を含む信号を、所定の電波強度で送信し続けている。表示装置２は、発信機３との間の距離が近付くと、発信機３からの信号を検知して受信する。表示装置２は、受信した信号に含まれる識別情報をサーバ装置１へ送信する。
【００２０】
発信機３は例えばビーコン端末を用いることができ、ビーコン端末に設定されているＭＡＣアドレスや各種ビーコンＩＤ（ＵＵＩＤ、ＭＡＪＯＲ値、ＭＩＮＯＲ値）などを識別情報として送信する。表示装置２が発信機３からの信号を検知できる最大距離は、発信機３の出力強度により異なり、例えば、表示装置２から数百メートル程度の範囲内にいる発信機３からの信号を検知できる。
【００２１】
この探索サービスの契約時に、ユーザ（契約者、飼い主）は、発信機３を取り付けておくペットの画像を提供する。サーバ装置１には、ペットの画像、特徴、ペットに取り付けられている発信機３の識別情報、サービスを契約しているユーザが利用する契約者端末（第１ユーザ端末）５の情報等を含む契約情報が登録されている。
【００２２】
ユーザは、ペットを見失った場合、スマートフォン等の契約者端末５を操作し、サーバ装置１に探索依頼を送信する。サーバ装置１は、契約者端末５から探索依頼を受信すると、契約情報から、探索対象となったペットに取り付けられている発信機３の識別情報を取り出す。
【００２３】
サーバ装置１は、表示装置２から識別情報を受信すると、受信した識別情報と、探索対象の識別情報とを比較する。識別情報が一致した場合、サーバ装置１は、この識別情報を送信してきた表示装置２の位置情報と共に、ペットが検知されたことを契約者端末５に通知する。
【００２４】
また、サーバ装置１は、契約情報に基づいて、探索対象となっているペットの画像や特徴等を含む探索対象情報を生成し、識別情報の送信元の表示装置２へ送信する。表示装置２は、サーバ装置１から受信した探索対象情報を表示部２２に表示する。
【００２５】
例えば、図４に示すような探索対象情報が表示部２２に表示される。表示装置２の周辺にいる人々は、表示部２２に表示された情報を確認し、探索対象のペットがいないか周囲を見渡す。探索対象のペットを発見した人は、自身のスマートフォン等の端末（発見者端末６）で表示部２２に表示された二次元コードＱ１を読み取り、ブラウザを用いて専用ウェブサイトにアクセスする。
【００２６】
専用ウェブサイトにアクセスすると、図５に示すような画面が発見者端末６（第２ユーザ端末）のタッチパネル６ａに表示される。発見者がボタンＢ１を選択すると、発見者端末６の内蔵カメラが起動する。図６に示すように、発見者端末６のカメラでペットを撮影し、送信ボタンを押すと、撮影画像がサーバ装置１にアップロードされる。
【００２７】
ペットを見失い、撮影できなかった場合は、ボタンＢ２を選択し、発見場所や移動方向などのメッセージを入力して送信してもよい。
【００２８】
サーバ装置１は、発見者端末６から受信した撮影画像と、契約情報に含まれるペットの画像とを考査端末４へ送信する。考査者が、考査端末４で、撮影画像と、契約情報のペット画像とを比較し、撮影画像にペットが写っているか否か確認する。また、撮影画像に第三者が写り込んでいる場合、考査者は第三者の顔にモザイクをかけるなど、画像の修正を行う。
【００２９】
サーバ装置１は、考査端末４による考査処理後、ペットが写った撮影画像を契約者端末５へ送信する。ユーザは、通知された表示装置２の位置情報や、ペットが写った画像の周囲の風景等からペットの居場所を特定し、ペットを容易に探し出すことができる。
【００３０】
サーバ装置１から契約者端末５へ、ペットが検知されたことを通知したり、撮影画像を送信したりする手段は、Ｅメール、ＳＭＳ、プッシュ通知など、特に限定されない。
【００３１】
サーバ装置１に撮影画像をアップロードした後、発見者端末６には、クーポンが配信される。例えば、図７（ａ）に示すようなクーポンコードＱ２が表示される。一方、契約者端末５には、図７（ｂ）に示すように、撮影画像Ｇと共に評価ボタンＢ３が表示部５ａに表示される。ユーザは、撮影画像Ｇがペット捜索の手助けになったと思う場合、評価ボタンＢ３を押す。ユーザが評価ボタンＢ３を押すと、発見者端末６のクーポンコードが有効になる。
【００３２】
情報量の少ない画像（あまり役に立たない画像）であった場合は、ボタンＢ４を押して評価しなくてもよい。この場合、発見者端末６のクーポンコードは無効のままとなる。
【００３３】
発見者は、有効となったクーポンコードＱ２を読み込ませた証明写真撮影装置２Ａで写真撮影を無料で行うことができたり、クーポンコードＱ２を読み込ませた自動販売機２Ｃから飲料を１本無料でもらうことができたりする。あるいはまた、クーポンコードＱ２を読み込ませた証明写真撮影装置２Ａから、近隣の商店で利用可能なクーポン券をプリント出力してもよい。
【００３４】
このように、本実施形態によれば、探索対象のペットが近くにいる表示装置２に探索対象情報を表示し、周囲の人々にペット探索の協力を求めることができる。表示装置２に表示された探索対象情報をもとにペットを発見した人は、自身の端末６でペットを撮影し、撮影画像をアップロードすると、クーポンをもらえる。そのため、発見者に対し何もお礼が無い場合と比較して、ペットの探索や撮影画像のアップロードに対する積極的な協力が期待できる。
【００３５】
次に、表示装置２の構成について説明する。図８に示すように、表示装置２は、演算制御部２０、受信部２１、表示部２２、通信部２３、及び記憶部２４を備え、これらの構成要素が、証明写真撮影装置２Ａ、サイネージ機器２Ｂ、自動販売機２Ｃ等に搭載されたものである。
【００３６】
受信部２１は、ペットに取り付けられた発信機３から識別情報を含む信号を受信する。
【００３７】
表示部２２は、例えば液晶ディスプレイであり、サーバ装置１から受信した探索対象情報を表示する。
【００３８】
通信部２３は、受信部２１が受信した識別情報を、インターネット等を介してサーバ装置１へ送信する。また、通信部２３は、サーバ装置１から探索対象情報を受信する。探索対象情報は記憶部２４に格納される。
【００３９】
次に、サーバ装置１の構成について説明する。図９に示すように、サーバ装置１は、探索プログラム及び表示装置情報が格納された記憶部１０を備えるコンピュータであり、ＣＰＵ（中央演算部）が探索プログラムを実行することで、登録処理部１０１、探索依頼受信部１０２、識別情報受信部１０３、判定部１０４、検知情報送信部１０５、探索対象情報送信部１０６、画面送信部１０７、画像受信部１０８、考査処理部１０９、画像送信部１１０、評価結果受信部１１１及びクーポン処理部１１２が実現される。
【００４０】
表示装置情報は、複数の表示装置２の設置場所の情報を含む。サーバ装置１の各部の機能を図１０に示すフローに沿って説明する。
【００４１】
登録処理部１０１は、探索サービスの利用登録を受け付け、ペットの画像や特徴、ユーザ（飼い主）に配布し、ペットに取り付けられる発信機３の識別情報、契約者端末５の情報等を含む契約情報を記憶部１０に格納する。
【００４２】
探索依頼受信部１０２は、契約者端末５から探索依頼を受信する（ステップＳ１）。探索依頼受信部１２は、契約情報を参照し、契約者端末５の情報や、探索依頼に含まれる契約番号等から、探索対象のペットに取り付けられた発信機３の識別情報を特定する。
【００４３】
表示装置２が、発信機３から信号を受信すると（ステップＳ２）、受信した信号に含まれる識別情報をサーバ装置１へ送信する（ステップＳ３）。識別情報受信部１０３は、表示装置２から識別情報を受信する。
【００４４】
判定部１０４は、表示装置２から受信した識別情報と、探索対象となっている識別情報とを比較し、一致するか否か判定する（ステップＳ４）。
【００４５】
識別情報が一致した場合、検知情報送信部１０５は、表示装置情報を参照し、この識別情報を送信してきた表示装置２の位置情報と共に、ペットが検知されたことを契約者端末５に通知する（ステップＳ５）。
【００４６】
また、識別情報が一致した場合、探索対象情報送信部１０６は、契約情報を参照し、探索対象となっているペットの画像や特徴等を含む探索対象情報を生成し、識別情報の送信元の表示装置２へ送信する（ステップＳ６）。探索対象情報送信部１０６は、この探索対象のペットに対応する撮影画像アップロード用の専用ウェブサイトのＵＲＬ（Uniform  Resource  Locator）を生成し、このＵＲＬを示す二次元コードも探索対象情報と共に表示装置２へ送信する。
【００４７】
表示装置２が、サーバ装置１から受信した探索対象情報及び二次元コード（図４の二次元コードＱ１）を表示部２２に表示する（ステップＳ７）。表示部２２に表示された情報を確認し、周辺にいる探索対象のペットを発見した発見者は、自身の発見者端末６で表示部２２に表示された二次元コードＱ１を読み取り、専用ウェブサイトにアクセスする（ステップＳ８，Ｓ９）。
【００４８】
サーバ装置１の画面送信部１０７は、発見者端末６からのアクセスに伴い、各種画面を生成して送信する。発見者端末６の内蔵カメラが、専用ウェブサイトを閲覧するブラウザを介して起動する（ステップＳ１０）。発見者は、ペットを撮影し、撮影画像をサーバ装置１にアップロードする（ステップＳ１１、Ｓ１２）。
【００４９】
画像受信部１０８が発明者端末６から撮影画像を受信すると、クーポン処理部１１２がクーポン情報を発見者端末６へ送信する（ステップＳ１３）。なお、この時点ではクーポンは未だ利用できない状態となっている。
【００５０】
考査処理部１０９は、契約情報から、探索対象の識別情報に対応するペット画像を取り出し、このペット画像と、発見者端末６から受信した撮影画像とを考査端末４へ送信し、考査処理を実行する（ステップＳ１４）。
【００５１】
画像送信部１１０は、考査処理によりペットが写っていると判定された撮影画像を契約者端末５へ送信する（ステップＳ１５）。契約者端末５へ送信される撮影画像は、必要に応じて考査端末４により修正を施した画像である。例えば、撮影画像内の第三者の顔にモザイクがかけられていたり、撮影画像内のペットに矢印が付されたりしている。撮影画像にペットが写っているか否かの判定や、撮影画像内の人物の顔画像にモザイクをかける処理は、サーバ装置１が行ってもよい。
【００５２】
ユーザは、契約者端末５に表示された撮影画像を確認し、この画像を評価する（ステップＳ１６，Ｓ１７）。評価結果受信部１１１は、契約者端末５から評価結果を受信する（ステップＳ１８）。クーポン処理部１１２は、評価結果に応じて、発見者端末６へ送信したクーポンコードを有効化し、クーポンが有効になったことを発見者端末６に通知する。また、ユーザが撮影画像を「情報量の少ない画像（あまり役に立たない画像）」と評価し、ボタンＢ４（図７（ｂ））を押した場合、クーポン処理部１１２は、画像の評価結果と共にクーポンが有効にならない（無効になる）ことを発見者端末６に通知する。
【００５３】
例えば発見者は、クーポンコードＱ２を証明写真撮影装置２Ａの読取部にかざす。証明写真撮影装置２Ａは、読取部が読み取った情報をサーバ装置１へ送信する。サーバ装置１は、有効になっているクーポンか否か判定し、有効なクーポンである場合は、証明写真撮影装置２Ａに対し、無料サービスを提供するよう指示する。発見者は、証明写真撮影装置２Ａで無料撮影を行ったり、証明写真撮影装置２Ａからクーポン券を発行したりできる。
【００５４】
このように、本実施形態によれば、街中に多数設置された表示装置２（証明写真撮影装置２Ａ、サイネージ機器２Ｂ、自動販売機２Ｃなど）を利用し、探索依頼のあったペットが表示装置２の近くにくると、このペットに関する探索対象情報が表示装置２に表示される。表示装置２に表示された情報を確認した人は、周囲を探し、ペットを見つけると、撮影して撮影画像をアップロードする。
【００５５】
サーバ装置１は、表示装置２の位置情報や撮影画像を契約者端末５へ送信する。ＧＰＳを利用するものでないため、ペットが建物内にいても発信機３からの信号を受信できる。
【００５６】
ユーザは、サーバ装置１から通知された表示装置２の位置情報や、ペットが写った画像の周囲の風景等からペットの居場所を精確に特定し、ペットを容易に探し出すことができる。
【００５７】
ペットを発見して撮影画像をアップロードするとクーポンがもらえるため、表示装置２に表示された探索対象情報をみた人が、ペット探索に積極的に協力することが期待できる。
【００５８】
発見者による撮影の前に、表示装置２の位置情報と共に、ペットが検知されたことを契約者端末５に通知するため、ユーザは、ペットを探しに表示装置２の周辺へ速やかに移動を開始できる。
【００５９】
また、発信機３がBluetooth  Low  Energy（登録商標）を用いたビーコン端末である場合、消費電力が小さく、長時間使用することができる。
【００６０】
ユーザによる画像の評価後に、発見者端末６へクーポンを配信してもよい。また、画像の評価に複数のレベルを設定し、レベルに応じて異なるクーポンを配信してもよい。
【００６１】
上記実施形態では、探索対象をペットとする場合について説明したが、探索対象は子供や老人等の人物であってもよいし、自転車、バイク、鞄等の物品であってもよい。
【００６２】
上記実施形態では、発見者端末６が二次元コードＱ１を読み取ることで、専用ウェブサイトにアクセスする例について説明したが、二次元コードＱ１を読み取ることで、画像送信用のＥメールアドレスを取得してもよい。発見者は、発見者端末６で撮影した画像をＥメールに添付して送信する。発見者は、Ｅメールを送信するにあたり、探索対象情報に含まれる探索対象の名称や、探索ナンバー等を記載する。サーバ装置１は、受信したＥメールの送信元アドレスにクーポン情報を送信する。
【００６３】
上記実施形態において、発信機３はビーコンに限定されず、識別情報を含む信号を連続して送信できる低消費電力の機器であればよい。
【００６４】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６５】
１  サーバ装置
２  表示装置
３  発信機
４  考査端末
５  契約者端末
６  発見者端末
【図１】
2020027422.tif 000003
【図２】
2020027422.tif 000004
【図３】
2020027422.tif 000005
【図４】
2020027422.tif 000006
【図５】
2020027422.tif 000007
【図６】
2020027422.tif 000008
【図７】
2020027422.tif 000009
【図８】
2020027422.tif 000010
【図９】
2020027422.tif 000011
【図１０】
2020027422.tif 000012